(57)【要約】【課題】管理者の小額貨幣の不足を解消し、さらにユーザによる利用を促進する。【解決手段】状態変更部１２は、記憶部１３が記憶する状態情報を、通常状態または貨幣不足状態に変更し、出金部１９及び電子マネー処理部１８は、記憶部１３が記憶する状態情報が貨幣不足状態を示している場合において、貨幣が入金されたとき、入金金額と等価で最小構成枚数となる貨幣、または入金金額と等価の私製貨幣に加えて、所定の額面の私製貨幣を追加して出金する。【選択図】図２
2010237933.tif 000002
【特許請求の範囲】
【請求項１】
貨幣を入金することで、入金金額と等価で最小構成枚数となる貨幣、または入金金額と等価の私製貨幣を出金する両替装置であって、
記憶手段が記憶する状態情報を、通常状態または貨幣不足状態に変更する状態変更手段と、
前記記憶手段が記憶する状態情報が貨幣不足状態を示している場合において、貨幣が入金されたとき、入金金額と等価で最小構成枚数となる貨幣、または入金金額と等価の私製貨幣に加えて、所定の額面の私製貨幣を追加して出金する追加出金手段と、
を備えることを特徴とする両替装置。
【請求項２】
前記追加出金手段は、前記入金された貨幣が所定の枚数以上である場合に、前記所定の額面の私製貨幣を追加して出金する、
ことを特徴とする請求項１に記載の両替装置。
【請求項３】
前記記憶手段は、不足している貨幣の金種を示す不足金種情報を記憶し、
前記追加出金手段は、前記金種情報が示す金種の貨幣が入金された場合に、前記所定の額面の私製貨幣を追加して出金する、
ことを特徴とする請求項１または請求項２の何れか１項に記載の両替装置。
【請求項４】
前記状態変更手段は、第１の時刻に状態情報を貨幣不足状態へ変更し、第２の時刻に状態情報を通常状態へ変更する、
ことを特徴とする請求項１から請求項３の何れか１項に記載の両替装置。
【請求項５】
前記状態変更手段は、通信手段を介して接続された貨幣管理装置に保持されている貨幣が所定の枚数未満となった場合に状態情報を貨幣不足状態へ変更し、前記貨幣管理装置の貨幣が所定の枚数以上となった場合に状態情報を通常状態へ変更する、
ことを特徴とする請求項１から請求項４の何れか１項に記載の両替装置。
【請求項６】
前記追加出金手段が出金する私製貨幣の額面は、入金金額に応じて算出される、
ことを特徴とする請求項１から請求項５の何れか１項に記載の両替装置。
【請求項７】
前記追加出金手段が出金する私製貨幣の額面は、入金された貨幣の枚数に応じて算出される、
ことを特徴とする請求項１から請求項５の何れか１項に記載の両替装置。
【請求項８】
前記両替装置が貨幣を出金する場合、前記追加出金手段が出金する私製貨幣の額面は、入金された貨幣の枚数と出金する貨幣の枚数との差に応じて算出される、
ことを特徴とする請求項７に記載の両替装置。
【請求項９】
貨幣を入金することで、入金金額と等価で最小構成枚数となる貨幣、または入金金額と等価の私製貨幣を出金する両替装置を用いた両替方法であって、
状態変更手段は、記憶手段が記憶する状態情報を、通常状態または貨幣不足状態に変更し、
追加出金手段は、前記記憶手段が記憶する状態情報が貨幣不足状態を示している場合において、貨幣が入金されたとき、入金金額と等価で最小構成枚数となる貨幣、または入金金額と等価の私製貨幣に加えて、所定の額面の私製貨幣を追加して出金する、
ことを特徴とする両替方法。
【請求項１０】
貨幣を入金することで、入金金額と等価で最小構成枚数となる貨幣、または入金金額と等価の私製貨幣を出金する両替装置を、
記憶手段が記憶する状態情報を、通常状態または貨幣不足状態に変更する状態変更手段、
前記記憶手段が記憶する状態情報が貨幣不足状態を示している場合において、貨幣が入金されたとき、入金金額と等価で最小構成枚数となる貨幣、または入金金額と等価の私製貨幣に加えて、所定の額面の私製貨幣を追加して出金する追加出金手段、
として動作させるためのプログラム。
【発明の詳細な説明】
【技術分野】
【０００１】
本発明は、貨幣を入金することで、入金金額と等価で最小構成枚数となる貨幣、または入金金額と等価の私製貨幣を出金する両替装置、両替方法及びプログラムに関する。
【背景技術】
【０００２】
従来、デパート、スーパーマーケットやコンビニエンスストア等の小売店では、釣銭として小額貨幣を取り扱う機会が多く、多くの小額貨幣を確保しておく必要がある。小売店は、小額貨幣を調達する際、銀行等の金融機関に手数料を支払い、当該金融機関において高額貨幣と小額貨幣とを交換している。
一方、小額貨幣は硬貨であるために、消費者は、釣銭によって所持する小額貨幣が多くなると財布がかさばり、持ち運びが不便になってしまうという問題があった。
【０００３】
この問題を解決するために、逆両替機（例えば、特許文献１を参照）の小売店への導入が考案されている。逆両替機が小額貨幣を収集し、小売店が収集した小額貨幣を回収することで、小売店は釣銭の不足を解消し、それら小額貨幣をより額面の大きな高額貨幣に両替することで、消費者は持ち運びの不便さを解消することができる。
【先行技術文献】
【特許文献】
【０００４】
【特許文献１】特開平１１−６６３７４号公報
【発明の概要】
【発明が解決しようとする課題】
【０００５】
しかしながら、従来の逆両替機では、ただ単に小額貨幣を高額貨幣に両替するものであり、消費者に対するメリットが持ち運びの不便の解消に他ならないため、消費者が両替のためにあえて大量の小額貨幣を持ってくる可能性は低く、逆両替機は、小売店での購買のついでに利用されることとなることが予想される。そのため、小売店が逆両替機を設置したとしても、設置の費用に対して効果が少なくなるという問題が生じる可能性が高い。
また、小売店は特に、釣銭が不足している場合に、逆両替機によって小額貨幣を収集したいという需要がある。
本発明は上記の点に鑑みてなされたものであり、その目的は、管理者の小額貨幣の不足を解消し、さらにユーザによる利用を促進する両替装置、両替方法及びプログラムを提供することにある。
【課題を解決するための手段】
【０００６】
本発明は上記の課題を解決するためになされたものであり、貨幣を入金することで、入金金額と等価で最小構成枚数となる貨幣、または入金金額と等価の私製貨幣を出金する両替装置であって、記憶手段が記憶する状態情報を、通常状態または貨幣不足状態に変更する状態変更手段と、前記記憶手段が記憶する状態情報が貨幣不足状態を示している場合において、貨幣が入金されたとき、入金金額と等価で最小構成枚数となる貨幣、または入金金額と等価の私製貨幣に加えて、所定の額面の私製貨幣を追加して出金する追加出金手段と、を備えることを特徴とする。
【０００７】
また、本発明は、貨幣を入金することで、入金金額と等価で最小構成枚数となる貨幣、または入金金額と等価の私製貨幣を出金する両替装置を用いた両替方法であって、状態変更手段は、記憶手段が記憶する状態情報を、通常状態または貨幣不足状態に変更し、追加出金手段は、前記記憶手段が記憶する状態情報が貨幣不足状態を示している場合において、貨幣が入金されたとき、入金金額と等価で最小構成枚数となる貨幣、または入金金額と等価の私製貨幣に加えて、所定の額面の私製貨幣を追加して出金する、ことを特徴とする。
【０００８】
また、本発明は、貨幣を入金することで、入金金額と等価で最小構成枚数となる貨幣、または入金金額と等価の私製貨幣を出金する両替装置を、記憶手段が記憶する状態情報を、通常状態または貨幣不足状態に変更する状態変更手段、前記記憶手段が記憶する状態情報が貨幣不足状態を示している場合において、貨幣が入金されたとき、入金金額と等価で最小構成枚数となる貨幣、または入金金額と等価の私製貨幣に加えて、所定の額面の私製貨幣を追加して出金する追加出金手段、として動作させるためのプログラムである。
【発明の効果】
【０００９】
本発明によれば、記憶手段が記憶する状態情報が貨幣不足状態である場合、すなわち管理者が所持する小額貨幣が不足している場合に、入金金額と等価で最小構成枚数となる貨幣、または入金金額と等価の私製貨幣に加えて、所定の額面の私製貨幣を追加して出金する。ここで、私製貨幣とは、例えば電子マネーや商品券等を示す。
これにより、管理者が所持する小額貨幣が不足しているとき、ユーザは、出金される私製貨幣の分だけ利益を得ることができるというメリットがあるために、両替のために大量の小額貨幣を持ってくる可能性が高まる。そのため、本発明によれば、管理者の小額貨幣の不足を解消し、さらにユーザによる両替装置の利用を促進することができる。
【図面の簡単な説明】
【００１０】
【図１】本発明の一実施形態による両替装置の構成図である。
【図２】両替装置の機能の構成を示す概略ブロック図である。
【図３】両替装置の動作を示すフローチャートである。
【発明を実施するための形態】
【００１１】
以下、図面を参照しながら本発明の実施形態について詳しく説明する。
図１は、本発明の一実施形態による両替装置の構成図である。
両替装置１は、ＩＣカードユニット２、紙幣入出金ユニット３、硬貨入出金ユニット４、紙幣入出金口５、操作表示部６、硬貨入金口７、硬貨出金口８、管理者用出金口９、通信部１０を備える。
ＩＣカードユニット２は、電子マネーＩＣカードの認識を行うインターフェースである。
紙幣入出金ユニット３は、紙幣を金種毎に各々の収納庫に分類して収納する。
硬貨入出金ユニット４は、硬貨を金種毎に各々の収納庫に分類して収納する。
紙幣入出金口５は、消費者等のユーザから紙幣の入金を受け付け、また紙幣の出金を行う。
操作表示部６は、タッチパネル等によって構成され、情報の表示と入力操作の受け付けを行う。
硬貨入金口７は、ユーザから硬貨の入金を受け付ける。
硬貨出金口８は、硬貨の出金を行う。
管理者用出金口９は、管理者の操作によって硬貨の出金を行う。
通信部１０は、ＬＡＮ（Local Area Network：構内通信網）などのネットワークに接続し、ＰＯＳ（Point Of Sale：販売時点情報管理）レジスター等の外部装置と通信を行う。
【００１２】
図２は、両替装置の機能の構成を示す概略ブロック図である。
両替装置１は、管理者入力部１１、状態変更部１２（状態変更手段）、記憶部１３（記憶手段）、入金部１４、判定部１５、算出部１６、ユーザ入力部１７、電子マネー処理部１８、出金部１９（追加出金手段）を備える。
管理者入力部１１は、図１に示す操作表示部６または通信部１０を介して管理者またはＰＯＳレジスター等の外部装置からの入力を受け付ける。
状態変更部１２は、記憶部１３が記憶する状態情報を変更する。ここで、状態情報とは、両替装置１の状態を示し、通常状態または管理者が所有する貨幣が不足していることを示す貨幣不足状態の何れかを示す。
記憶部１３は、状態情報と不足している貨幣の金種を示す不足金種情報を記憶する。
入金部１４は、図１に示す紙幣入出金口５、硬貨入金口７を介してユーザから貨幣の入金を受け付ける処理を行う。
判定部１５は、ユーザに両替利用特典を与えるか否かを判定する。ここで、両替利用特典とは、ユーザに対する両替利用のインセンティブであり、例えば電子マネーのポイントや商品券等の私製貨幣によって支払われる。
算出部１６は、入金部１４に入金された入金金額及び両替利用特典として支払う私製貨幣の額面を算出する。
ユーザ入力部１７は、図１に示す操作表示部６を介してユーザからの出金方法の入力を受け付ける。ここで、支払い方法とは、貨幣による出金または電子マネーによる出金のいずれかである。
電子マネー処理部１８は、図１に示すＩＣカードユニット２を介して、ユーザのＩＣカードが記憶する電子マネー情報に、入金金額と両替利用特典が示す額とを加算する。
出金部１９は、図１に示す紙幣入出金口５及び／または硬貨出金口８を介して、入金金額と等価で最小構成枚数となる貨幣と、両替利用特典の私製貨幣を出金する処理を行う。
【００１３】
そして、両替装置１において、状態変更部１２は、記憶部１３が記憶する状態情報を、通常状態または貨幣不足状態に変更し、出金部１９及び電子マネー処理部１８は、記憶部１３が記憶する状態情報が貨幣不足状態を示している場合において、貨幣が入金されたとき、入金金額と等価で最小構成枚数となる貨幣または入金金額と等価の私製貨幣に加えて、両替利用特典として所定の額面の私製貨幣を追加して出金する。
これにより、管理者の小額貨幣の不足を解消し、さらにユーザによる利用を促進することができる。
【００１４】
次に、両替装置１の動作を説明する。
図３は、両替装置の動作を示すフローチャートである。
まず、ユーザが紙幣入出金口５、硬貨入金口７（図１）を介して貨幣を入金すると、入金部１４は、入金された貨幣を受け付ける（ステップＳ１）。入金部１４が貨幣の入金を受け付けると、算出部１６は、入金部１４が入金を受け付けた入金金額を算出する（ステップＳ２）。算出部１６が入金金額を算出すると、判定部１５は、記憶部１３が記憶する状態情報が通常状態であるか貨幣不足状態であるかを判定する（ステップＳ３）。
【００１５】
判定部１５は、状態情報が貨幣不足状態であると判定した場合（ステップＳ３：ＹＥＳ）、入金部１４が受け付けた貨幣のうち、その金種（貨幣種類）が、記憶部１３が記憶する不足金種情報が示す金種と合致するものが含まれているか否かを判定する。含まれている場合、判定部１５は、当該金種の貨幣の枚数が所定の閾値以上であるか否かを判定する（ステップＳ４）。判定部１５が、金種が合致する貨幣の枚数が所定の閾値以上であると判定した場合（ステップＳ４：ＹＥＳ）、算出部１６は、両替利用特典として支払う私製貨幣の額面を算出する（ステップＳ５）。両替利用特典の額面は、例えば、入金された貨幣の枚数に所定の定数値を乗じることで算出すると良い。
【００１６】
ステップＳ３で判定部１５が、状態情報が通常状態であると判定した場合（ステップＳ３：ＮＯ）、ステップＳ４で判定部１５が、金種が合致する貨幣の枚数が所定の閾値未満であると判定した場合（ステップＳ４：ＮＯ）、またはステップＳ５で算出部１６が両替利用特典の額面を算出した場合、操作表示部６（図１）は、出金方法として、貨幣による出金か、電子マネーによる出金かをユーザに選択させる画面を表示する（ステップＳ６）。ユーザが操作表示部６を介して出金方法を選択すると、ユーザ入力部１７は、出金方法の入力を受け付ける（ステップＳ７）。ユーザ入力部１７は、入力された出金方法が貨幣による出金であるか、電子マネーによる出金かであるかを判定する（ステップＳ８）。
【００１７】
ユーザ入力部１７が、出金方法が貨幣による出金であると判定した場合（ステップＳ８：ＹＥＳ）、算出部１６は、出金する貨幣の金種及び枚数を算出する（ステップＳ９）。このとき、出金する貨幣は、入金金額と等価で最小構成枚数となるようにする。
算出部１６が出金する貨幣の金種及び枚数を算出すると、出金部１９は、算出部１６が両替利用特典の額面を算出したか否かを判定する（ステップＳ１０）。
【００１８】
出金部１９は、算出部１６が両替利用特典の額面を算出していると判定した場合（ステップＳ１０：ＹＥＳ）、紙幣入出金口５及び／または硬貨出金口８（図１）から、算出部１６が両替のために算出した金種及び枚数の貨幣と、算出部１６が両替利用特典のために算出した額面の商品券等（私製貨幣）とを出金する（ステップＳ１１）。
他方、出金部１９は、算出部１６が両替利用特典の額面を算出していないと判定した場合（ステップＳ１０：ＮＯ）、紙幣入出金口５及び／または硬貨出金口８から、算出部１６が算出した金種及び枚数の貨幣のみを出金する（ステップＳ１２）。
【００１９】
ステップＳ８で、ユーザ入力部１７が、出金方法が電子マネーによる出金であると判定した場合（ステップＳ８：ＮＯ）、電子マネー処理部１８は、ＩＣカードユニット２（図１）を介してユーザのＩＣカードを認識する（ステップＳ１３）。電子マネー処理部１８は、ＩＣカードを認識すると、算出部１６が両替利用特典の額面を算出したか否かを判定する（ステップＳ１４）。
【００２０】
電子マネー処理部１８は、算出部１６が両替利用特典の額面を算出していると判定した場合（ステップＳ１４：ＹＥＳ）、ＩＣカードユニット２を介して、ユーザのＩＣカードが記憶する電子マネー情報に、入金金額と両替利用特典が示す額とを加算する（ステップＳ１５）。
他方、電子マネー処理部１８は、算出部１６が両替利用特典の額面を算出していないと判定した場合（ステップＳ１４：ＮＯ）、ＩＣカードユニット２を介して、ユーザのＩＣカードが記憶する電子マネー情報に、入金金額のみを加算する（ステップＳ１６）。
【００２１】
次に、状態情報の変更操作について説明する。
一般的に、小売店等において釣銭用の貨幣が必要となる場面は、ＰＯＳレジスターの硬貨が不足している場面や、商品の多くの売り上げが見込まれる場面である。
そのため、例えば、次に示すような方法で、貨幣が必要となった場合に状態情報を貨幣不足状態に変更する。
【００２２】
まず、通信部１０（図１）を介して接続される釣銭管理装置等の外部装置（貨幣管理装置）は、当該釣銭管理装置に保持されている貨幣が所定の枚数未満となった場合に釣銭不足信号を送信する。管理者入力部１１が、通信部１０を介してＰＯＳレジスターの釣銭管理装置等の外部装置から釣銭不足信号を受信すると、状態変更部１２は、記憶部１３が記憶する状態情報を貨幣不足状態に書き換える。このとき、管理者入力部１１は、釣銭管理装置から不足している貨幣の金種の情報の受信も受け付け、状態変更部１２は、記憶部１３が記憶する不足金種情報を受信した金種の情報に書き換える。また、釣銭管理装置に硬貨が補充された場合、管理者入力部１１は、釣銭管理装置から釣銭充足信号を受信し、状態変更部１２は、記憶部１３が記憶する状態情報を通常状態に書き換える。
【００２３】
他の方法としては、管理者入力部１１が管理者から操作表示部６を介して特売日や特売時間の入力を受け付けると、状態変更部１２は、入力された特売日または特売時間の開始時刻（第１の時刻）になった場合に、記憶部１３が記憶する状態情報を貨幣不足状態に書き換える。また、状態変更部１２は、入力された特売日または特売時間の終了時刻（第２の時刻）になった場合に、記憶部１３が記憶する状態情報を通常状態に書き換える。
【００２４】
また、管理者は、管理者用出金口９（図１）にかかっている鍵を開錠することで、管理者用出金口９から硬貨入出金ユニット４が収納する硬貨を取り出すことができる。このとき、硬貨入出金ユニットは、収納する硬貨を５０枚単位で棒金に加工する機能を有し、管理者が棒金として硬貨を取り出せるような構成であると、より良い。
【００２５】
このように、本実施形態によれば、管理者が所有するある金種の貨幣が不足した場合において、ユーザが両替装置１を使用すると、両替装置１は、ユーザに対してインセンティブとして両替利用特典を支払う。これにより、ユーザは、出金される両替利用特典の分だけ利益を得ることができるというメリットがあるために、両替のために大量の小額貨幣を持ってくる可能性が高まる。そのため、本実施形態によれば、管理者の小額貨幣の不足を解消し、さらにユーザによる両替装置の利用を促進することができる。また、両替を目的とするユーザが小売店に足を運ぶため、集客効果をも見込むことができる。
【００２６】
以上、図面を参照してこの発明の一実施形態について詳しく説明してきたが、具体的な構成は上述のものに限られることはなく、この発明の要旨を逸脱しない範囲内において様々な設計変更等をすることが可能である。
例えば、本実施形態では、両替利用特典の額面の算出例として、入金された貨幣の枚数に所定の定数値を乗じる方法を例示したが、これに限られず、例えば、貨幣による支払いを行う場合は、入金された貨幣のうち不足金種の貨幣の枚数から、出金する貨幣の不足金種の枚数を減算した値に、所定の定数値を乗じることで算出しても良い。
また、例えば、両替利用特典の額面を入金金額に応じて決定しても良い。
【００２７】
上述の両替装置１は内部に、コンピュータシステムを有している。そして、上述した各処理部の動作は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００２８】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００２９】
１…両替装置  ２…ＩＣカードユニット  ３…紙幣入出金ユニット  ４…硬貨入出金ユニット  ５…紙幣入出金口  ６…操作表示部  ７…硬貨入金口  ８…硬貨出金口  ９…管理者用出金口  １０…通信部  １１…管理者用入力部  １２…状態変更部  １３…記憶部  １４…入金部  １５…判定部  １６…算出部  １７…ユーザ入力部  １８…電子マネー処理部  １９…出金部
【図１】
2010237933.tif 000003
【図２】
2010237933.tif 000004
【図３】
2010237933.tif 000005